(57)【要約】【課題】  コストを抑えつつバリアフリー化を可能にし、且つ、美観の向上と異物落下の防止を図れる構造を実現する。又、カバー帯２４ｃの一端部と突き合わせ框９ｂの下端部との結合作業の容易化を図る。【解決手段】  下枠４として上面に下部案内レールを備えたものを使用する。又、上記下部案内レールの上端縁を、上記下枠４の上面のうちで人や物が移動する部分よりも下方に位置させる。上記下部案内レールを設置した凹部の上端開口で、ガラス障子２ｂにより覆われない部分をカバー帯２４ｃにより覆う事で、美観の向上と異物の落下防止とを図る。このカバー帯２４ｃの一端部に結合した、上下寸法を拡縮自在とした係止側ブラケット２８の係止部４３と、上記突き合わせ框９ｂの下端部に形成した係止切り欠き部５３の上端縁とを、ワンタッチで係脱自在とする。【選択図】  図１２
2005232793.tif 000002
【特許請求の範囲】
【請求項１】
引戸装置を構成する下枠の上面に引戸障子の移動方向に亙って設けられた凹部の上端開口部のうちでこの引戸障子により覆われない部分を覆う、帯状で可撓性を有するカバー帯の一端部に結合された、係止部を有する係止側ブラケットと、上記引戸障子を構成する竪框の下端部若しくはこの竪框の下端部外側面に固定された受側ブラケットに形成された、係止縁を有する係止切り欠き部とを備え、この係止切り欠き部に上記係止部を、上記係止側ブラケットが有する弾性力により係止する事で、上記引戸障子の移動に伴って上記カバー帯の一端部を上記下枠に沿って押し引き自在とした引戸装置用カバー帯端部の結合装置。
【請求項２】
係止側ブラケットが、カバー帯の一端部を結合する為の下側素子と、この下側素子の上側に、昇降自在に支持された上側素子と、この上側素子を上方に向け押圧する弾性部材とから成るものであり、係止部はこの上側素子の一部に形成されていて、この上側素子が下方から上方に変位するのに伴って係止切り欠き部の上端縁と係合するものである、請求項１に記載した引戸装置用カバー帯端部の結合装置。
【請求項３】
カバー帯の一端部に結合固定したＬ字形の係止金具のうちで、このカバー帯に対し直角方向に折れ曲がった係止板部に係止孔が形成されており、下側素子の一部にこの係止板部を挿入自在な係止スリットが形成されており、この係止スリット内に、この係止板部がこの係止スリット内に進入するのを許容し、この係止板部がこの係止スリットから抜け出る事を阻止する係止凸部が形成されている、請求項２に記載した引戸装置用カバー帯端部の結合装置。
【請求項４】
カバー帯の一端部上面に弾性材製の係止側ブラケットの基端部が結合固定されており、この係止側ブラケットの上半部に、上記カバー帯の幅方向の寸法を弾性的に収縮可能で、自由状態での幅寸法が係止切り欠き部の幅寸法よりも大きな係止部が設けられており、この係止部の形状は、この係止部を竪框又は受側ブラケットの外側面側から上記係止切り欠き部の内側に迄押し込む場合にこの係止切り欠き部の幅方向両側縁との係合により上記係止部の幅寸法を弾性的に縮める方向の力が作用するが、この係止部を上記係止切り欠き部の内側から抜き出す方向の力が作用した状態では、この係止部の幅寸法を弾性的に縮める方向の力が作用しない形状である、請求項１に記載した引戸装置用カバー帯端部の結合装置。
【請求項５】
係止部は、上記竪框の外側面側が開口した半円弧形若しくは山形であり、この係止部の幅寸法は、この半円弧若しくは山形の両端部内径寄り部分から、この半円弧若しくは山形の中央より離れる方向に延出した１対の摘み部同士の間隔を縮める事で、上記係止切り欠き部の幅寸法以下に収縮自在である、請求項４に記載した引戸装置用カバー帯端部の結合装置。
【請求項６】
係止切り欠き部は、押し出し型材製の竪框の一部で下枠の長さ方向に対して直角方向に設けられた第一壁部の下端部に形成されており、この第一壁部の外側面と、この第一壁部の外側面の幅方向両端部から突出する状態で形成された第二、第三両壁部の互いに対向する側面とにより三方を囲まれた上下方向に長い空間内に取り外し用ブラケットが、昇降可能に保持されており、この取り外し用ブラケットの下端部に、この取り外し用ブラケットの下降に伴って１対の摘み部と係合し、これら両摘み部同士の間隔を縮める傾斜面部を設けている、請求項５に記載した引戸装置用カバー帯端部の結合装置。
【請求項７】
係止切り欠き部は、押し出し型材製の竪框の下端部内側に、この竪框の一部に下枠の長さ方向に対して直角方向に設けられた第一壁部の内側面に隣接する状態で保持固定された受側ブラケットの一部でこの第一壁部に対向する部分に形成されており、この第一壁部のうちで上記係止切り欠き部に対向する部分に切り欠きが形成されており、この第一壁部の外側面と、この第一壁部の外側面の幅方向両端部から突出する状態で形成された第二、第三両壁部の互いに対向する側面とにより三方を囲まれた上下方向に長い空間内に取り外し用ブラケットが、昇降可能に保持されており、この取り外し用ブラケットの下端部に、この取り外し用ブラケットの下降に伴って１対の摘み部と係合し、これら両摘み部同士の間隔を縮める傾斜面部を設けている、請求項５に記載した引戸装置用カバー帯端部の結合装置。
【請求項８】
係止切り欠き部は、押し出し型材製の竪框の下端部外側面に保持固定された受側ブラケットの一部に形成されており、この受側ブラケットの上部に取り外し用ブラケットが、昇降可能に保持されており、この取り外し用ブラケットの下端部に、この取り外し用ブラケットの下降に伴って１対の摘み部と係合し、これら両摘み部同士の間隔を縮める傾斜面部を設けている、請求項５に記載した引戸装置用カバー帯端部の結合装置。
【請求項９】
取り外し用ブラケットの一部に係止切り欠き部を設けた部材の側に突出する係止突片を設け、この係止突片をこの係止切り欠き部を設けた部材若しくはこの部材を固定した他の部材の一部に設けた係止孔若しくは係止凹部に係合させた状態で、上記取り外し用ブラケットに設けた傾斜面部が１対の摘み部の上方に位置してこれら両摘み部と係合しない、請求項６〜８の何れかに記載した引戸装置用カバー帯端部の結合装置。
【請求項１０】
下辺を構成する下框に複数の戸車を、横軸を中心とする回転自在に支持した引戸障子と、これら各戸車の外周面に全周に亙って形成した凹溝と係合する事でこの引戸障子の水平移動を案内する下部案内レールをその上面に形成した下枠を含む窓枠とを備えた引戸装置に於いて、この下部案内レールは、この下枠の上面に上記引戸障子の移動方向に亙って存在する凹部の底面から上方に突出した状態で設けられ、その上端縁がこの下枠の上面のうちでこの凹部の両側に存在する部分よりも上方には突出しないものであり、上記引戸障子の縦辺を構成する竪框の下端部と上記窓枠の端部との間に設けたカバー帯をこの引戸障子の移動に伴って移動させる事により、上記凹部の上端開口部で上記引戸障子により覆われていない部分を覆う様に構成しており、上記カバー帯は、可撓性及び押し付け力により移動可能な程度の剛性を有する弾性材製であり、このカバー帯の一端が上記竪框の下端部に、請求項１〜９の何れかに記載した引戸装置用カバー帯端部の結合装置により結合されると共に、上記カバー帯の中間部が、互いに直角に結合された下枠と竪枠との連続部に固定されたガイド部材の内部に設けられたガイド通路に案内されて、移動方向を水平方向から垂直方向に９０度変更されており、垂直方向に移動する上記カバー帯の一部は、上記竪枠内に存在している引戸装置。
【発明の詳細な説明】
【技術分野】
【０００１】
この発明は、バリアフリーサッシと呼ばれる、下枠の上面を平坦にした窓枠に引戸障子を建て込んで成る引戸装置の改良に関する。
【背景技術】
【０００２】
高齢者や身体障害者の移動の容易性を確保する為に、バリアフリーサッシと呼ばれる、下枠の上面を平坦にした窓枠の構造が、例えば特許文献１〜４に記載される等により、従来から各種知られている。これら各特許文献に記載された構造は、何れも、引戸障子の下框に設置した戸車の外周面が単なる円筒面で、上記下枠の上面でこの戸車の外周面が転がり接触する部分が平坦面となっている。
【０００３】
この様な従来構造の場合、戸車として、従来一般的に使用されていたものとは異なる、特殊なものを使用する為、今後広く普及しない限り、コストが嵩む可能性がある。特に現状では、故障した戸車を修理・交換する際に、戸車の取り寄せに要する手間やコストが、一般的な、外周面に全周に亙って凹溝を形成したものに比べて嵩む可能性がある。又、戸車と下枠との係合部で、引戸障子の屋内外方向に関する位置決めを図れない為、別途この引戸障子の屋内外方向に関する位置決めを図る為の構造が必要になる。
【０００４】
この様な事情を考慮した場合、下枠として上面に下部案内レールを備えたものを使用すると共に、この下部案内レールの上端縁を、この下枠の上面のうちで人や物が移動する部分よりも下方に位置させる構造を採用する事が有利である。この場合、下枠の上面に凹部を、引戸障子の移動方向に亙って設け、上記下部案内レールを、この凹部の底面から上方に突出する状態で設ける。従って上記下枠の上面には、この凹部の開口部が存在し、この開口部の中央部に上記下部案内レールの上端縁が存在する状態となる。
【０００５】
上記凹部及び下部案内レールは、上記下枠の全長に亙って設けるのに対し、上記引戸障子の長さ（幅）はこの下枠の全長よりも短い。この為、上記凹部の開口部及び下部案内レールの上端縁の長さ方向の一部は、上記引戸障子により覆われる事なく露出する。この為、当該部分の体裁が悪くなるだけでなく、異物が上記凹部内に落下した場合に、この異物を取り出しにくくなる。即ち、上記凹部の開口部のほぼ中間部に上記下部案内レールの上端縁が存在する為、この開口部は幅方向に２分割されて狭くなる。この結果、上記凹部内にピン等の異物が落下した場合に、この異物を取り出しにくくなる。
【０００６】
特許文献５には、昇降式のシャッタの両側縁部を案内する為の昇降案内溝の一部でシャッタパネルを巻き上げた場合にこのシャッタパネルの下方に露出する部分を、帯状封止材により覆う構造が記載されている。但し、この様な特許文献５に記載された構造は、鉛直方向に存在する溝の開口部を覆う事のみを意図していて、引戸装置の下枠の上面に存在する溝部の上端開口を覆う事を意図しているものではない。又、帯状封止材を巻き取り機構により巻き取る等、構造が複雑で、設置スペースが限られた引戸装置に適用する事は難しい。
【０００７】
【特許文献１】実公昭５５−１９８１４号公報
【特許文献２】特開２０００−９６９３４号公報
【特許文献３】特許第３２３３９２０号公報
【特許文献４】特許第３２３３９２１号公報
【特許文献５】特開平５−３４０１７３号公報
【発明の開示】
【発明が解決しようとする課題】
【０００８】
本発明は、上述の様な事情に鑑みて、下枠として上面に下部案内レールを備えたものを使用すると共に、この下部案内レールの上端縁を、この下枠の上面のうちで人や物が移動する部分よりも下方に位置させた構造で、下枠上面の体裁を良好にし、且つ、凹部内への異物の落下を防止できる構造を実現すべく発明したものである。
同時に本発明は、上記落下を防止すべく、上記凹部の上端開口部を覆うカバー帯の一端部を、引戸障子を構成する竪框の下端部に結合する作業を容易に行なえる構造を実現できる様にするものである。
【課題を解決するための手段】
【０００９】
本発明の引戸装置用カバー帯端部の結合装置及び引戸装置のうち、請求項１に記載した引戸装置用カバー帯端部の結合装置は、係止側ブラケットと、係止切り欠き部とを備える。
このうちの係止側ブラケットは、引戸装置を構成する下枠の上面に引戸障子の移動方向に亙って設けられた凹部の上端開口部のうちでこの引戸障子により覆われない部分を覆う、帯状で可撓性を有するカバー帯の一端部に結合されたもので、係止部を有する。
又、上記係止切り欠き部は、上記引戸障子を構成する竪框の下端部若しくはこの竪框の下端部外側面に固定された受側ブラケットに形成されたもので、係止縁を有する。
そして、上記係止切り欠き部に上記係止部を、上記係止側ブラケットが有する弾性力により係止する事で、上記引戸障子の移動に伴って上記カバー帯の一端部を上記下枠に沿って押し引き自在としている。
【００１０】
又、請求項１０に記載した引戸装置は、従来から一般的に実施されている引戸装置と同様に、下辺を構成する下框に複数の戸車を、横軸を中心とする回転自在に支持した引戸障子と、これら各戸車の外周面に全周に亙って形成した凹溝と係合する事でこの引戸障子の水平移動を案内する下部案内レールをその上面に形成した下枠を含む窓枠とを備える。
【００１１】
特に、本発明の引戸装置に於いては、上記下部案内レールは、上記下枠の上面に上記引戸障子の移動方向に亙って存在する凹部の底面から上方に突出した状態で設けられ、その上端縁が上記下枠の上面のうちでこの凹部の両側に存在する部分よりも上方には突出しないものである。
又、上記引戸障子の縦辺を構成する竪框の下端部と上記窓枠の端部との間に設けたカバー帯をこの引戸障子の移動に伴って移動させる事により、上記凹部の上端開口部で上記引戸障子により覆われていない部分を覆う様に構成している。
上記カバー帯は、薄肉のステンレス鋼板等の、可撓性及び押し付け力により移動可能な程度の剛性を有する弾性材製である。このカバー帯は、その一端が上記竪框の下端部に結合されると共に、その中間部が、互いに直角に結合された下枠と竪枠との連続部に固定されたガイド部材の内部に設けられたガイド通路に案内されて、移動方向を水平方向から垂直方向に９０度変更されている。又、垂直方向に移動する上記カバー帯の一部は、上記竪枠内に存在している。
そして、上記カバー帯の一端が上記竪框の下端部に、前述の様な引戸装置用カバー帯端部の結合装置により結合されている。
【発明の効果】
【００１２】
上述の様に構成する本発明の引戸装置の場合、下枠として上面に下部案内レールを備えたものを使用する為、引戸障子の下框に設ける戸車として、外周面に全周に亙って凹溝を形成したものを使用できる。この為、戸車自体のコストを低く抑えられる他、戸車と下部案内レールとの係合部で、引戸障子の屋内外方向に関する位置決めを図れる。従って、別途この引戸障子の屋内外方向に関する位置決めを図る為の構造を設ける必要がなく、この面からもコスト低減を図れる。
又、上記下部案内レールの上端縁を、この下枠の上面のうちで人や物が移動する部分よりも下方に位置させているので、下枠の上面を実質的に平坦にして、この人や物の移動を容易に行なえる様にできる。
又、上記下部案内レールの上端縁を上方に突出させない様にする為に上記下枠の上面に設けた凹部の上端開口部で上記引戸障子により覆われていない部分を、カバー帯により覆う為、上記下枠上面の体裁を良好にし、且つ、凹部内への異物の落下を防止できる。
更に、上記カバー帯の一端部を上記引戸障子を構成する竪框の下端部に、容易に結合できる為、現場での工事を容易且つ迅速に行なえる。
【発明を実施するための最良の形態】
【００１３】
本発明を実施する場合に、好ましくは、例えば請求項２に記載した様に、係止側ブラケットを、カバー帯の一端部を結合する為の下側素子と、この下側素子の上側に、昇降自在に支持された上側素子と、この上側素子を上方に向け押圧する弾性部材とから構成する。又、係止部を、この上側素子の一部に形成して、この上側素子が下方から上方に変位するのに伴って係止切り欠き部の上端縁と係合する様にする。
この様に構成すれば、係止側ブラケットを竪框の下端部に結合する作業を容易に行なえる。
【００１４】
又、上述の様な請求項２に記載した発明を実施する場合に、更に好ましくは、請求項３に記載した様に、上記カバー帯の一端部にＬ字形の係止金具を結合固定し、この係止金具のうちで、このカバー帯に対し直角方向に折れ曲がった係止板部に係止孔を形成する。一方、下側素子の一部に、この係止板部を挿入自在な係止スリットを形成し、この係止スリット内に、この係止板部がこの係止スリット内に進入するのを許容し、この係止板部がこの係止スリットから抜け出る事を阻止する係止凸部を形成する。
この様に構成すれば、上記カバー帯の一端部を上記係止側ブラケットに結合する作業も、容易に行なえる。
【００１５】
又、本発明を実施する、他の好ましい形態として、請求項４に記載した様に、カバー帯の一端部上面に弾性材製の係止側ブラケットの基端部を結合固定する。そして、この係止側ブラケットの上半部に、上記カバー帯の幅方向の寸法を弾性的に収縮可能で、自由状態での幅寸法が係止切り欠き部の幅寸法よりも大きな係止部を設ける。この係止部の形状は、この係止部を竪框又は受側ブラケットの外側面側から上記係止切り欠き部の内側に迄押し込む場合にこの係止切り欠き部の幅方向両側縁との係合により上記係止部の幅寸法を弾性的に縮める方向の力が作用するが、この係止部を上記係止切り欠き部の内側から抜き出す方向の力が作用した状態では、この係止部の幅寸法を弾性的に縮める方向の力が作用しない形状とする。
この様な構成によっても、係止側ブラケットを竪框の下端部に結合する作業を容易に行なえる。
【００１６】
又、上述の様な請求項４に記載した発明を実施する場合に好ましくは、請求項５に記載した様に、上記係止部を、上記竪框の外側面側が開口した半円弧形若しくは山形とする。そして、この係止部の幅寸法を、この半円弧若しくは山形の両端部内径寄り部分から、この半円弧若しくは山形の中央より離れる方向に延出した１対の摘み部同士の間隔を縮める事で、上記係止切り欠き部の幅寸法以下に収縮自在とする。
この様に構成すれば、上記係止部と上記係止切り欠き部との係脱を、容易且つ確実に行なわせる事ができる。
【００１７】
更に、上述の様な請求項５に記載した発明を実施する場合に好ましくは、請求項６に記載した様に、上記係止切り欠き部を、押し出し型材製の竪框の一部で下枠の長さ方向に対して直角方向に設けられた第一壁部の下端部に形成する。
或は請求項７に記載した様に、上記係止切り欠き部を、押し出し型材製の竪框の下端部内側に、この竪框の一部に下枠の長さ方向に対して直角方向に設けられた第一壁部の内側面に隣接する状態で保持固定された受側ブラケットの一部でこの第一壁部に対向する部分に形成する。又、この第一壁部のうちで上記係止切り欠き部に対向する部分に切り欠きを形成する。
又、この第一壁部の外側面と、この第一壁部の外側面の幅方向両端部から突出する状態で形成された第二、第三両壁部の互いに対向する側面とにより三方を囲まれた上下方向に長い空間内に、取り外し用ブラケットを、昇降可能に保持する。そして、この取り外し用ブラケットの下端部に、この取り外し用ブラケットの下降に伴って上記１対の摘み部と係合し、これら両摘み部同士の間隔を縮める傾斜面部を設ける。
この様に構成すれば、特に工具等を使用する事なく、前記係止側ブラケットの一端部を上記竪框の下端部から取り外す事ができる。
【実施例１】
【００１８】
図１〜１６は、請求項１〜３、１０に対応する、本発明の実施例１を示している。本実施例は、本発明を、掃き出し窓として一般的な、引違戸に適用した場合に就いて示している。この為に本実施例の場合には、窓枠１の内側に、それぞれが特許請求の範囲に記載した引戸障子である１対のガラス障子２ａ、２ｂを、引き違い式に建て込んでいる。このうちの窓枠１は、上辺を構成する上枠３と、下辺を構成する下枠４と、左右の縦辺を構成する竪枠５ａ、５ｂとにより、矩形に構成している。これら各枠３、４、５ａ、５ｂは、それぞれアルミニウム合金の一体押し出し成形材製である。又、上記各ガラス障子２ａ、２ｂは、それぞれの上辺を構成する上框６ａ、６ｂと、同じく下辺を構成する下框７ａ、７ｂと、左右の縦辺を構成する竪框である、召し合わせ框８ａ、８ｂ及び突き合わせ框９ａ、９ｂとにより、ガラスパネル１０ａ、１０ｂの四辺を囲んで成る。これら各框６ａ、６ｂ、７ａ、７ｂ、８ａ、８ｂ、９ａ、９ｂも、アルミニウム合金の一体押し出し成形材製である。このうちの召し合わせ框８ａ、８ｂは、上記掃き出し窓の閉鎖時に上記窓枠１の中央に位置して、屋内外方向に亙り互いに対向する。これに対して上記各突き合わせ框９ａ、９ｂは、上記掃き出し窓の閉鎖時に上記窓枠１の端部に位置して、上記各竪枠５ａ、５ｂに突き合わされる。
【００１９】
上記各ガラス障子２ａ、２ｂは上記窓枠１の内側に、一般的に知られている引違戸と同様の構造により、水平移動自在に建て込まれている。この為に、上記上枠３の下面に１対の上部案内レール１１ａ、１１ｂを、屋内外方向に離隔した状態で設けている。そして、上記各召し合わせ框８ａ、８ｂ及び突き合わせ框９ａ、９ｂの上端部に支持したガイドブロック１２ａ、１２ｂに形成したガイド溝１３ａ、１３ｂに上記各上部案内レール１１ａ、１１ｂを係合させている。この構成により、上記各ガラス障子２ａ、２ｂの上端部を上記上枠３に沿う水平移動自在に支持している。
【００２０】
これに対して、上記下枠４に１対の下部案内レール１４ａ、１４ｂを、屋内外方向に離隔した状態で設けている。但し、本実施例の場合、一般的な引違戸を構成する下枠とは異なり、上記各下部案内レール１４ａ、１４ｂを、上記下枠４の上面にこの下枠４の全長に亙って設けた１対の凹部１５ａ、１５ｂの底面から、上方に突出した状態で設けている。又、上記各下部案内レール１４ａ、１４ｂの高さ寸法は上記各凹部１５ａ、１５ｂの深さ寸法よりも小さくして、これら各下部案内レール１４ａ、１４ｂの上端縁が、上記下枠４の上面のうちで上記各凹部１５ａ、１５ｂの両側に存在する部分よりも下方に位置する様にしている。この構成により、上記各下部案内レール１４ａ、１４ｂの存在に拘らず、上記下枠４の上面を幅の狭い上記各凹部１５ａ、１５ｂの上端開口部を除き、実質的に平坦にして、高齢者や障害者、更には車椅子等の移動を容易に行なえる様にしている。
【００２１】
この様な構成を有する上記下枠４に沿う移動を可能にする為に、上記各ガラス障子２ａ、２ｂの下辺を構成する前記下框７ａ、７ｂの両端部近傍部分に戸車１６ａ、１６ｂを、屋内外方向に設けられた横軸を中心とする回転自在に支持している。これら各戸車１６ａ、１６ｂは、従来から一般的な引違戸に使用されていた戸車と同様のもので、外周面中央部に凹溝１７ａ、１７ｂを、全周に亙り形成している。この様な凹溝１７ａ、１７ｂを設けた上記各戸車１６ａ、１６ｂをそれぞれ１対ずつ支持した上記各下框７ａ、７ｂは、上記下部案内レール１４ａ、１４ｂと上記各凹溝１７ａ、１７ａとを係合させる事で、上記下枠４の上方位置に、この下枠４に沿った水平移動を自在に支持している。
以上の構成により、上記各ガラス障子２ａ、２ｂを上記窓枠１の内側に、水平移動自在に建て込んでいる。
【００２２】
又、図示の例では、上記下枠４の屋外側端部（図６、７の左端部）上面に形成した屋外端突条１８と、上記１対の凹部１５ａ、１５ｂ同士を仕切る中央突条１９との屋内側面（図６、７の右側面）に、それぞれブラケット２０ａ、２０ｂを係止している。上記各下部案内レール１４ａ、１４ｂのうち、屋外側の下部案内レール１４ａの上半部は、屋外側のブラケット２０ａと上記中央突条１９との間に存在する。そして、上記屋外側の戸車１６ａの一部は、これらブラケット２０ａと中央突条１９との上半部同士の間に入り込んでいる。これに対して、屋内側の下部案内レール１４ｂの上半部は、屋内側のブラケット２０ｂと、上記下枠４の屋内側端部（図６、７の右端部）上面に形成した屋内端突条２１との間に存在する。そして、上記屋内側の戸車１６ｂの一部は、これら屋内側のブラケット２０ｂと屋内端突条２１との上半部同士の間に入り込んでいる。
【００２３】
又、前記各下框７ａ、７ｂの屋内側壁２２ａ、２２ｂの下端部を下方に延長する事で、それぞれ垂下壁部２３ａ、２３ｂを形成している。そして、前記屋外側のガラス障子２ａに関する垂下壁部２３ａの上下方向中間部乃至下端部を、上記屋外側の下部案内レール１４ａの上半部屋内側面と、上記中央突条１９の上半部屋外側面との間に進入させている。これに対して、前記屋内側のガラス障子２ｂに関する垂下壁部２３ｂの上下方向中間部乃至下端部を、上記屋内側の下部案内レール１４ｂの上半部屋内側面と、上記屋内端突条２１の上半部屋外側面との間に進入させている。
【００２４】
上述の様に、前記各戸車１６ａ、１６ｂの下端部と上記各垂下壁部２３ａ、２３ｂの上下方向中間部乃至下端部とを進入させた、上記各凹部１５ａ、１５ｂの上端開口部で前記各ガラス障子２ａ、２ｂの下框７ａ、７ｂにより覆われない部分は、次述するカバー帯２４ａ〜２４ｄにより覆う様にしている。上記各凹部１５ａ、１５ｂの内側面上端部には、これら各カバー帯２４ａ〜２４ｄの両側端縁を案内する為のガイド溝２５ａ、２５ｂを、互いに対向する状態で設けている。
【００２５】
上記各ガイド溝２５ａ、２５ｂは、それぞれガイド部材２６ａ、２６ｂにより構成している。このうち、各凹部１５ａ、１５ｂ毎に屋内側となる、上記中央突条１９の上端部屋外側面と上記屋内端突条２１の上端部屋外側面とに係止したガイド部材２６ａは、上端部屋外側面に設けられた上記ガイド溝２５ａと、中間部屋外側面にその基端部を連結したシールリップ２７とを備える。このうちのガイド溝２５ａは、上記各カバー帯２４ａ〜２４ｄの屋内側端縁を案内して、これら各カバー帯２４ａ〜２４ｄの屋内側端縁が、上記各凹部１５ａ、１５ｂの上端開口部から浮き上がる事を防止する。又、上記シールリップ２７の屋外側面の先端寄り部分は、上記各垂下壁部２３ａ、２３ｂの屋内側面に摺接して、上記各下框７ａ、７ｂと前記下枠４との間をシールする。一方、上記各凹部１５ａ、１５ｂ毎に屋外側となる、前記各ブラケット２０ａ、２０ｂの上端部屋内側面に係止したガイド部材２６ｂには、上記ガイド溝２５ｂのみを設け、シールリップは設けていない。
【００２６】
上述の様な両ガイド部材２６ａ、２６ｂは、上記各凹部１５ａ、１５ｂの内側面上端部に、これら各ガイド部材２６ａ、２６ｂのガイド溝２５ａ、２５ｂを同じ高さに位置させて互いに対向させた状態で設けている。そして、これら各ガイド溝２５ａ、２５ｂに、上記各カバー帯２４ａ〜２４ｄの両側端縁を係合させると共に、これら各カバー帯２４ａ〜２４ｄの一端部を前記各ガラス障子２ａ、２ｂの縦辺を構成する召し合わせ框８ａ、８ｂ又は突き合わせ框９ａ、９ｂの下端部に結合している。又、上記各カバー帯２４ａ〜２４ｄの中間部乃至他端部は、前記窓枠１の縦辺を構成する竪枠５ａ、５ｂ内に出入りさせる様にしている。この構成により、この窓枠１の下辺を構成する下枠４の上面に存在する上記各凹部１５ａ、１５ｂの上端開口部で、上記各ガラス障子２ａ、２ｂの下框７ａ、７ｂにより覆われていない部分を、上記各カバー帯２４ａ〜２４ｄにより覆う様にしている。  
【００２７】
本実施例の場合、次の(1) 〜(4) に示すカバー帯２４ａ〜２４ｄにより、前記各下部案内レール１４ａ、１４ｂを設置した凹部１５ａ、１５ｂの上端開口の４個所位置を、それぞれ覆う（図２参照）。
(1) 屋外側のガラス障子２ａの突き合わせ框９ａと一方（図２の左方）の竪枠５ａの下端部との間に設け、このガラス障子２ａを解放方向（図２の右方向）に移動させた場合に、屋外側の凹部１５ａの片半部（図２の左半部）の上端開口を覆うカバー帯２４ａ。
(2) 屋外側のガラス障子２ａの召し合わせ框８ａと他方（図２の右方）の竪枠５ｂの下端部との間に設け、このガラス障子２ａを閉鎖方向（図２の左方向）に移動させた場合に、屋外側の凹部１５ａの他半部（図２の右半部）の上端開口を覆うカバー帯２４ｂ。
(3) 屋内側のガラス障子２ｂの突き合わせ框９ｂと他方の竪枠５ｂの下端部との間に設け、このガラス障子２ｂを解放方向（図２の左方向）に移動させた場合に、屋内側の凹部１５ｂの片半部（図２の右半部）の上端開口を覆うカバー帯２４ｃ。
(4) 屋内側のガラス障子２ｂの召し合わせ框８ｂと一方の竪枠５ａの下端部との間に設け、このガラス障子２ｂを閉鎖方向（図２の右方向）に移動させた場合に、屋内側の凹部１５ｂの他半部（図２の左半部）の上端開口を覆うカバー帯２４ｄ。
【００２８】
この様なカバー帯２４ａ〜２４ｄは、それぞれ金属製の巻き尺を構成する金属板の如きステンレス鋼板、或は合成樹脂を一体押し出し成形する事により造られた長尺材等、可撓性及び押し付け力により移動可能な程度の剛性を有する弾性材製である。本実施例の場合には、上記各カバー帯２４ａ〜２４ｄとして、自由状態での断面形状が円弧形となるものを使用して、これら各カバー帯２４ａ〜２４ｄの肉厚を小さく抑えつつ、上記剛性の確保を図っている。尚、これら各カバー帯２４ａ〜２４ｄの湾曲方向は、上記各凹部１５ａ、１５ｂの上端開口を覆った状態で、それぞれの上面が凸曲面となる方向としている。この理由は、上記各カバー帯２４ａ〜２４ｄと前記各下部案内レール１４ａ、１４ｂの上端縁との干渉を防止しつつ、これら各下部案内レール１４ａ、１４ｂの高さ寸法を確保する為である。
【００２９】
この様な上記各カバー帯２４ａ〜２４ｄの一端部は、それぞれ上記各ガラス障子２ａ、２ｂの召し合わせ框８ａ、８ｂ又は突き合わせ框９ａ、９ｂの下端部に結合し、これら各ガラス障子２ａ、２ｂの移動に伴って押し引きされる様にしている。本実施例の場合、上記各カバー帯２４ａ〜２４ｄの一端部を上記各框８ａ、８ｂ、９ａ、９ｂの下端部に、図８〜１６に示す様な構造により結合している。このうちの図８〜１２は、上記各カバー帯２４ａ、２４ｃの一端部と上記各突き合わせ框９ａ、９ｂの下端部とを結合する部分の構造を、図１３〜１６は、上記各カバー帯２４ｂ、２４ｄの一端部と上記各召し合わせ框８ａ、８ｂの下端部とを結合する構造を、それぞれ示している。
【００３０】
先ず、上記各カバー帯２４ａ、２４ｃの一端部と上記各突き合わせ框９ａ、９ｂの下端部とを結合する部分の構造に就いて、図２の右下部の突き合わせ框９ｂの下端部とカバー帯２４ｃの一端部との結合部を例にして説明する。尚、図２の左上部の突き合わせ框９ａの下端部とカバー帯２４ａの一端部との結合部の構造に就いても、左右勝手が逆になる以外、同様に構成する。
【００３１】
上記カバー帯２４ｃの一端部と上記突き合わせ框９ｂの下端部とは、図８に示す様に、係止側ブラケット２８を介して結合している。この係止側ブラケット２８は、それぞれがポリアミド樹脂等の合成樹脂を射出成形して成る下側素子２９と上側素子３０とを、圧縮コイルばね３１等の弾性部材を介して、上下方向に互いに離れる方向の弾力を付与した状態に組み合わせて成る。
【００３２】
このうちの下側素子２９は、上記カバー帯２４ｃの一端部を結合する為のもので、全体を大略Ｌ字形に形成されている。このうちの下辺を構成する基部３２の上面中央部には円柱状のガイドロッド３３を、このガイドロッド３３を囲む四辺部には抑え板部３４ａ、３４ｂを、それぞれ上方に突出する状態で形成している。これら４枚の抑え板部３４ａ、３４ｂは、自由状態で上記基部３２に対する角度が直角となる方向に形成されている。又、上記ガイドロッド３３の上端部は、上記各抑え板部３４ａ、３４ｂの上端縁よりも上方に突出している。又、長さ方向（図８〜１０、１２の左右方向）両端に設けた各抑え板部３４ａ、３４ａの上端部には、互いに近づく方向に折れ曲がった鉤部を設けている。幅方向（図８〜１０、１２の表裏方向）両端に設けた各抑え板部３４ｂは、この様な鉤部を持たない、単なる平板状に形成している。又、上記基部３２の下面一端寄り（図８〜１０、１２の右寄り）部分には凸部３５を形成している。本実施例の結合装置を組み立てた状態でこの凸部３５の先端面（下面）は、上記カバー帯２４ｃの中間部一端寄りの上面に突き当たる。
【００３３】
又、上記基部３２の他端部（図８〜１０、１２の左端部）上面に係止受部３６を、上方に延出する状態で形成している。この係止受部３６の上端部には、上記カバー帯２４ｃの一端部を結合する為の係止スリット３７を、前記突き合わせ框９ｂ側が開口する状態で形成している。又、この係止スリット３７を仕切る上下両面のうちの何れかの面に、係止凸部３８を突設している。この係止凸部３８は、円柱を斜切した如き形状を有し、その先端面（図示の例では下面）は、この係止スリット３７の開口部に向う程突出量が小さくなる方向に傾斜している。又、上記係止受部３６の中間部で上記係止スリット３７よりも少し下側部分の、上記突き合わせ框９ｂに対向する面には、凹部３９を形成している。
【００３４】
一方、前記上側素子３０は、ガイド筒部４０の上下方向中間部と摘み部４１の下端部とを連結部４２により連結して成る。そして、これらガイド筒部４０の上端部側面と摘み部４１の下端部側面と連結部４２の上面とにより三方を囲まれた部分を、スリット状の係止部４３としている。又、上記ガイド筒部４０の下端部外周面には、外向フランジ状の鍔部４４を形成している。この鍔部４４の外周縁形状は矩形であり、上記各抑え板部３４ａ、３４ｂにより周囲を囲まれた空間内に挿入自在な大きさを有する。尚、上記摘み部４１のうちの外側面側部分には凹部５１を、上下方向に形成している。この凹部５１は、前記突き合わせ框９ｂを前記竪枠５ｂに突き合わせた状態で、この竪枠５ｂの内側面に形成した突条との干渉を防止する為に設けている。
【００３５】
この様な上側素子３０と、上述の様な下側素子２９とは、上記ガイド筒部４０の中心孔４５に前記ガイドロッド３３を挿入した状態に組み合わせる。この際、上記ガイドロッド３３の先端面（上端面）と上記中心孔４５の奥端面との間に、前記圧縮コイルばね３１を設ける。又、上記鍔部４４は、それぞれの上端部に前記鉤部を備えた抑え板部３４ａ、３４ａを弾性変形させつつ、上記各抑え板部３４ａ、３４ｂにより周囲を囲まれた空間内に入り込む。この様にして、上記下側素子２９と上記上側素子３０とを組み合わせた状態で、これら両素子２９、３０同士を近づけ合う方向の力を除けば、上記圧縮コイルばね３１の弾力によりこれら両素子２９、３０が、上記鍔部４４と上記両抑え板部３４ａ、３４ａの上端部に形成した鉤部とが当接する迄遠ざかる傾向になる。
【００３６】
上述の様に、下側素子２９と上側素子３０とを組み合わせて成る前記係止側ブラケット２８のうち、この下側素子２９にその一端部を結合すべく、前記カバー帯２４ｃの一端部には、十分な強度及び剛性を有する金属板をＬ字形に折り曲げて成る係止金具４６を結合固定している。この係止金具４６は、基板部４７と係止板部４８とを備え、このうちの基板部４７と上記カバー帯２４ｃの一端部とを、互いに重ね合わせた状態で、リベット４９により結合固定している。又、上記係止板部４８の中央部には、係止孔５０を形成している。この係止孔５０は、その内側に前記係止スリット３７内に存在する前記係止凸部３８が進入自在な大きさを有する。
【００３７】
上述の様な係止金具４６を固定した上記カバー帯２４ｃの一端部を上記下側素子２９に結合する際には、上記係止板部４８を上記係止スリット３７内に、図１０に示した状態から図９に示した状態に迄押し込む。前述した通り、この係止スリット３７内に設けられた上記係止凸部３８の先端面は、この係止スリット３７の開口部に向かう程突出量が小さくなる方向に傾斜している。従って、上記係止板部４８の押し込みに伴って、上記係止スリット３７の上側に存在する、前記係止受部３６の上端部が上方に弾性変形し、上記係止板部４８の先端部が上記係止凸部３８を形成した部分を通過する事を許容する。そして、この係止凸部３８と、上記係止孔５０とが整合した状態で上記係止受部３６の上端部が弾性的に（下方に）復元し、この係止凸部３８がこの係止孔５０内に入り込む。この結果、上記カバー帯２４ｃの一端部が上記下側素子２９に結合される。この状態で、上記リベット４９の頭部は、前記凹部３９内に入り込む。尚、上記カバー帯２４ｃの一端部と下側素子２９との結合は、上記係止受部３６の上端部をドライバ等の工具で上方に弾性変形させない限り、外れる事はない。
【００３８】
上述の様にして、上記カバー帯２４ｃの一端部を結合した係止側ブラケット２８を結合する為に、前記突き合わせ框９ｂを構成する、前記下枠４の長さ方向に対して直角方向に設けられた第一壁部５２の下端部に、図１１に示す様な、係止縁を有する係止切り欠き部５３を、この第一壁部５２の下端縁に開口する状態で形成している。この係止切り欠き部５３の幅寸法は、上記係止側ブラケット２８のうち、少なくとも前記摘み部４１以外の部分の幅寸法よりも大きい。
【００３９】
上記カバー帯２４ｃの一端部を結合した係止側ブラケット２８は、次の様にして、上記係止切り欠き部５３部分に係止する。尚、この係止作業は、上記突き合わせ框９ｂを備えた前記ガラス障子２ｂを前記窓枠１内に建て込むと共に、上記カバー帯２４ｃをこの窓枠１の竪枠５ｂと下枠４とに装着した状態で行なう。先ず、図１２に示す様に、前記摘み部４１を手指で下方に押す事により、前記圧縮コイルばね３１の弾力に抗して前記上側素子３０を下方に、前記ガイド筒部４０の上端面が前記係止切り欠き部５３の上端縁よりも下方に位置するまで押し下げる。次いで、この状態のまま、上記ガラス障子２ｂを移動させて、図１２に示す様に、上記突き合わせ框９ｂを上記係止側ブラケット２８の上方に位置させる。そして、この状態で、上記摘み部４１を下方に押圧している力を解除する。この結果、上記上側素子３０が上記圧縮コイルばね３１の弾力に基づいて、図８に示した状態にまで上昇する。そして、上記係止切り欠き部５３の上端縁部と上記上側素子３０の係止部４３とが係合し、上記突き合わせ框９ｂの動きが、上記係止側ブラケット２８を介して、上記カバー帯２４ｃに伝達される様になる。尚、上記係止側ブラケット２８と上記カバー帯２４ｃの一端部との結合部は、図示の場合とは異なり、この係止側ブラケット２８を構成する下側素子２９の下面部分に設ける事もできる。この場合には、上記カバー帯２４ｃの一端部を上方に曲げ起こす必要はなくなる。
【００４０】
次に、前記各召し合わせ框８ａ、８ｂの下端部と、前記各カバー帯２４ｂ、２４ｄの一端部との結合部の構造に就いて、図１３〜１６により説明する。この図１３〜１６は、屋外側のガラス障子２ａの召し合わせ框８ａの下端部とカバー帯２４ｂの一端部との結合部に就いて示している。屋内側のガラス障子２ｂの召し合わせ框８ｂの下端部とカバー帯２４ｄの一端部との結合部に就いても、左右勝手が逆になる以外、同様に構成する。
【００４１】
上記召し合わせ框８ａの下端部外側面に受側ブラケット５４を、ねじ止め等により固定している。この受側ブラケット５４は、合成樹脂を射出成形して成るもので、外端面に上
下方向に長い凹部５５を備え、この凹部５５の奥端面に、係止縁を有する係止切り欠き部５３ａを形成している。図１３〜１６に示した構造では、この様な受側ブラケット５４に、下側素子２９ａと上側素子３０ａとから成り、上記カバー帯２４ｂの一端部に結合した係止側ブラケット２８ａを結合する様にしている。結合した状態で、上記上側素子３０ａの係止部４３ａは上記係止切り欠き部５３ａの上端縁部に係合し、同じく摘み部４１ａは上記凹部５５内に、同じく下側素子２９ａは上記受側ブラケット５４の下部内側に、それぞれ収納された状態となる。上記係止側ブラケット２８ａを、上記召し合わせ框８ａの下端部に直接結合するのではなく、上記受側ブラケット５４を介して結合する様に構成し、これに合わせて上記係止側ブラケット２８ａの形状を多少異ならせた点以外は、先に述べた、突き合わせ框９ｂの下端部とカバー帯２４ｃの一端部との結合部とほぼ同様である。従って、重複する説明は省略する。
【００４２】
又、前記下枠４の両端部のそれぞれ２個所位置ずつ、合計４個所位置に、それぞれ図１７に示す様なガイドブラケット５６ａ、５６ｂを設けている。これら各ガイドブラケット５６ａ、５６ｂ内には、上記各カバー帯２４ａ〜２４ｄの方向を９０度変更する為のガイド通路が設けられている。このガイド通路は、水平部と鉛直部とを四分の一円弧状の湾曲部により滑らかに連続させて成る。この様なガイド通路を有する上記各ガイドブラケット５６ａ、５６ｂは、それぞれ上記下枠４の両端部上面と前記各竪枠５ａ、５ｂの下端部内側面との間に掛け渡している。この状態で、上記各ガイドブラケット５６ａ、５６ｂのガイド通路の水平部側開口端部は、前記各凹部１５ａ、１５ｂの水平方向端上端部に、同じく鉛直部側開口部は前記各竪枠５ａ、５ｂに設けた収納部５７ａ〜５７ｄの下端開口部に、それぞれ整合している。
【００４３】
図示の例では、上記各ガイドブラケット５６ａ、５６ｂのうち、召し合わせ框８ａ、８ｂに対向するガイドブラケット５６ａは、この召し合わせ框８ａ、８ｂと竪枠５ａ、５ｂとが衝突するのを防止するストッパとしての機能を備える為、上記下枠４の長さ方向の寸法を確保している。これに対して、突き合わせ框９ａ、９ｂに対向するガイドブラケット５６ｂは、この突き合わせ框９ａ、９ｂが上記竪枠５ａ、５ｂに十分に近接できる様にする為、上記下枠４の長さ方向の寸法を小さくしている。内部に設けるガイド通路の形状に就いては、上記各ガイドブラケット５６ａ、５６ｂ同士の間で、基本的な差はない。但し、本実施例の場合、上記各召し合わせ框８ａ、８ｂの下端部外側面に固定した受側ブラケット５４（図５、１３、１６参照）が、これら各召し合わせ框８ａ、８ｂと上記各竪枠５ａ、５ｂとが衝突するのを防止するストッパとしての機能を果たす為、上記ガイドブラケット５６ａの長さ寸法も短くする事もできる。
【００４４】
又、上記各収納部５７ａ〜５７ｄを設ける為に、上記各竪枠５ａ、５ｂはそれぞれ、図２〜４に示す様に、竪枠本体５８ａ、５８ｂの内側面に、内側ブラケット５９ａ、５９ｂを突き合わせ結合して成る。そして、これら各竪枠本体５８ａ、５８ｂの内側面とこれら各内側ブラケット５９ａ、５９ｂの外側面との間の隙間の一部を、上記各収納部５７ａ〜５７ｄとしている。尚、上記各内側ブラケット５９ａ、５９ｂは、上記各竪枠本体５８ａ、５８ｂの下端部には設けず、この下端部には、上記各ガイドブラケット５６ａ、５６ｂの一部を突き当てている。そして、上記各収納部５７ａ〜５７ｄの下端開口部と、これら各ガイドブラケット５６ａ、５６ｂのガイド通路の鉛直部側（上端）開口部とは、互いに突き合わせ、上記各収納部５７ａ〜５７ｄと上記ガイド通路とを連続させている。この構成により、これら各収納部５７ａ〜５７ｄとガイド通路との間で、上記各カバー帯２４ａ〜２４ｄを受け渡し自在としている。本実施例の場合には、上記各収納部５７ａ〜５７ｄの内面のうちで上記各カバー帯２４ａ〜２４ｄと摺接する部分を、合成樹脂製のライナ部材６０、６０により覆って、上記各収納部５７ａ〜５７ｄ内での上記各カバー帯２４ａ〜２４ｄの移動に対する摩擦抵抗の低減を図っている。
【００４５】
又、本実施例の場合には、前記各ガイド部材２６ａ、２６ｂに形成した前記各ガイド溝２５ａ、２５ｂの水平方向端部と、上記各ガイドブラケット５６ａ、５６ｂのガイド通路の水平部側開口端部とを、互いに突き合わせ、上記各ガイド溝２５ａ、２５ｂと上記ガイド通路とを連続させている。この構成により、これら各ガイド溝２５ａ、２５ｂとガイド通路との間で、上記各カバー帯２４ａ〜２４ｄを受け渡し自在としている。
【００４６】
上述の様に構成する本実施例の場合、前記各ガラス障子２ａ、２ｂを移動させれば、当該ガラス障子２ａ、２ｂの召し合わせ框８ａ、８ｂ及び突き合わせ框９ａ、９ｂと前記各竪枠５ａ、５ｂとの間で上記各カバー帯２４ａ〜２４ｄの受け渡しが行なわれる。そして、前記各凹部１５ａ、１５ｂの一部で、上記各ガラス障子２ａ、２ｂの下框７ａ、７ｂにより覆われない部分を、上記各カバー帯２４ａ〜２４ｄにより覆う。即ち、上記各ガラス障子２ａ、２ｂの移動に伴って、上記各框８ａ、８ｂ、９ａ、９ｂが、対向する竪枠５ａ、５ｂから離れると、当該竪框８ａ、８ｂ、９ａ、９ｂの下端部に結合された上記各カバー帯２４ａ〜２４ｄが、当該竪枠５ａ、５ｂの収納部５７ａ〜５７ｄから、前記ガイドブラケット５６ａ、５６ｂに設けたガイド通路部分で方向を９０度変更されつつ、引き出される。そして、これら各カバー帯２４ａ〜２４ｄが、上記各竪框８ａ、８ｂ、９ａ、９ｂの下端部と上記各竪枠５ａ、５ｂの下端部との間に掛け渡された状態で、上記各凹部１５ａ、１５ｂの上端開口のうち、上記各竪框８ａ、８ｂ、９ａ、９ｂの下端部と上記各竪枠５ａ、５ｂの下端部との間に露出した部分を覆う。この状態では、この下枠４の上面のうちで上記各竪框８ａ、８ｂ、９ａ、９ｂの下端部と上記各竪枠５ａ、５ｂの下端部との間部分の体裁を良好にし、且つ、この間部分で、上記各凹部１５ａ、１５ｂ内に異物が落下する事を防止できる。
【００４７】
又、本実施例の場合には、前記各収納部５７ａ〜５７ｄから引き出されて上記各凹部１５ａ、１５ｂの一部を覆った、上記各カバー帯２４ａ〜２４ｄの両側端縁が、上記各ガイド溝２５ａ、２５ｂに係止された状態となる。この為、これら各カバー帯２４ａ〜２４ｄの両側端縁が上記各凹部１５ａ、１５ｂの開口縁部から浮き上がる事を確実に防止できる。この結果、これら各凹部１５ａ、１５ｂ内に細かい異物が入り込んだり、上記各カバー帯２４ａ〜２４ｄに何らかの物が引っ掛かる事を有効に防止できる。
【００４８】
一方、上記各ガラス障子２ａ、２ｂの移動に伴って、上記各框８ａ、８ｂ、９ａ、９ｂが対向する竪枠５ａ、５ｂに近づくと、当該竪框８ａ、８ｂ、９ａ、９ｂの下端部に結合された上記各カバー帯２４ａ〜２４ｄが、当該竪枠５ａ、５ｂの収納部５７ａ〜５７ｄ内に、前記ガイドブラケット５６ａ、５６ｂに設けたガイド通路部分で方向を９０度変更されつつ、押し込まれる。上記各カバー帯２４ａ〜２４ｄは、金属製の巻き尺の如き性状で、押し付け方向に対し或る程度の剛性を有するので、上記各ガラス障子２ａ、２ｂの移動に伴って、上記各収納部５７ａ〜５７ｄ内に確実に押し込まれる。
【実施例２】
【００４９】
図１８〜３１は、請求項１、４、５、７、１０に対応する、本発明の実施例２を示している。尚、以下の説明は、図２の右下部の突き合わせ框９ｂの下端部とカバー帯２４ｃの一端部との結合部を例にして説明する。図２の左上部の突き合わせ框９ａの下端部とカバー帯２４ａの一端部との結合部の構造に就いても、左右勝手が逆になる以外、同様に構成する。更に、各召し合わせ框８ａ、８ｂの下端部とカバー帯２４ｂ、２４ｄの一端部との結合部に就いても、ほぼ同様に構成できる。但し、上記各召し合わせ框８ａ、８ｂの下端部と上記各カバー帯２４ｂ、２４ｄの一端部との結合部に関しては、必要に応じて、前述の図５、１３、１６に示す様な受側ブラケット５４を介在させる。
【００５０】
本実施例の場合には、上記カバー帯２４ｃの一端部上面に、ポリアミドの如き合成樹脂等の弾性材を射出成形する事により、図２１〜２３に詳示する様な形状とした係止側ブラケット６１の基端部を結合固定している。この係止側ブラケット６１は、下半部に取付基部６２を、上半部に係止部６３を、それぞれ設けて成る。このうちの取付基部６２は、取付板部６４の上面に脚部６５を設けて成る。又、上記係止部６３は、この脚部６５の上端から連続する状態で形成されたもので、その平面形状は、次の様に規制している。即ち、上記係止部６３を前記突き合わせ框９ｂの外側面側（竪枠に対向する面側）からこの突き合わせ框９ｂの第一壁部５２の下端部に形成した係止切り欠き部５３の内側に迄押し込む場合に、この係止切り欠き部５３の幅方向両側縁との係合により上記係止部６３の幅寸法を弾性的に縮める方向の力が作用するが、この係止部６３を上記係止切り欠き部５３の内側から抜き出す方向の力が作用した状態では、この係止部６３の幅寸法を弾性的に縮める方向の力が作用しない形状とする。
【００５１】
具体的には、本実施例の場合、上記係止部６３の平面形状は、上記突き合わせ框９ｂの外側面側が開口した半円弧形である。この様な係止部６３と上記脚部６５の上端との連続部は、この半円弧の中央部に存在する。この様な係止部６３は、上記カバー帯２４ｃの幅方向（図１８、２２の上下方向、図１９〜２１の表裏方向、図２２の左右方向）の寸法を弾性的に収縮可能で、自由状態での幅寸法Ｗ63が、後述する係止切り欠き部５３ｂの幅寸法Ｗ53よりも大きい。又、上記係止部６３の両端部は、径方向内方にほぼ直角に折れ曲がった、折れ曲がり鉤部６６、６６としている。又、本実施例の場合には、上記両折れ曲がり鉤部６６、６６の内径側端部からそれぞれ摘み部６７、６７を、上記係止部６３の半円弧から離れる方向に延出している。上記係止部６３の幅寸法は、上記両摘み部６７、６７同士の間隔を縮める事で、上記係止切り欠き部５３ｂの幅寸法Ｗ53以下に収縮自在である。
【００５２】
上述の様な係止側ブラケット６１は、図２０に示す様に、上記カバー帯２４ｃの一端部上面に、図２４〜２６に詳示する様な結合金具６８を介して、結合固定している。この結合金具６８は、上記係止側ブラケット６１に先立って、上記カバー帯２４ｃの一端部上面に、リベット６９により結合固定しておく。この状態では、図２７〜２８に示す様に、上記結合金具６８の両端部に設けた１対の抑え部７０、７０同士の間隔は、未だ開いたままの状態としておく。
【００５３】
上記カバー帯２４ｃの一端部上面に上記係止側ブラケット６１を結合固定する際には、前記取付板部６４の下面に形成した１対の位置決め凸部を、上記結合金具６８の両端寄り部分に形成した円孔に係合させた状態で、図２９に示した状態から図２０に示した状態にまで、上記両抑え部７０、７０同士を互いに近づく方向に折り曲げ、これら両抑え部７０、７０により、上記取付板部６４の上面を抑え付ける。この作業により、上記図２０に示した様に、上記カバー帯２４ｃの一端部上面に上記係止側ブラケット６１が結合固定される。
【００５４】
上述の様にその上面に上記係止側ブラケット６１を結合固定した、上記カバー帯２４ｃの一端部を結合すべき、前記突き合わせ框９ｂの下端部に、下方が開口した箱状の受側ブラケット７５を内嵌固定している（図１８、１９参照）。又、この突き合わせ框９ｂを構成する第一壁部５２の下端部でこの受側ブラケット７５に対向する部分に、図３０に示す様な切り欠き７６を形成している。尚、この切り欠き７６の幅寸法は、前記係止部６３の自由状態での幅寸法Ｗ63と同程度としている。更に、上記受側ブラケット７５の一部でこの切り欠き７６に整合する部分に、前記係止切り欠き部５３ｂを形成している。この様な係止切り欠き部５３ｂと上記切り欠き７６とを形成した、上記突き合わせ框９ｂの下端部に上記カバー帯２４ｃの一端部を結合する作業は、次の様にして行なう。
【００５５】
先ず、図３１に示す様に、予めこのカバー帯２４ｃの一端部上面に結合固定した上記係止側ブラケット６１の係止部６３を、上記切り欠き７６及び上記係止切り欠き部５３ｂに対向させる。この状態から、上記カバー帯２４ｃの一端部を上記第一壁部５２に近づける事で、上記係止部６３を上記係止切り欠き部５３ｂに押し付ける。この押し付け作業の結果、この係止部６３の外周面とこの係止切り欠き部５３ｂの両側縁との係合に基づいて、この係止部６３の幅寸法が弾性的に縮まり、この係止部６３が上記係止切り欠き部５３ｂを通過する。そして、通過後は、この係止部６３の幅寸法がこの係止切り欠き部５３ｂの幅寸法よりも大きくなるまで弾性的に拡がる。この結果、図１８、１９に示す様に、上記係止部６３の両端部に形成された前記両折れ曲がり鉤部６６、６６と上記受側ブラケット７５の内側面で上記係止切り欠き部５３ｂの両側部分とが係合し、上記係止側ブラケット６１が上記突き合わせ框９ｂの下端部に、不離に結合される。この状態では、この突き合わせ框９ｂを設けたガラス障子２ｂの移動に伴って、上記カバー帯２４ｃの一端部を押し引きする。
【００５６】
上記係止側ブラケット６１が上記突き合わせ框９ｂの下端部とを分離する際には、前記両摘み部６７、６７同士の間隔を縮める事により上記係止部６３の幅寸法を、上記係止切り欠き部５３ｂの幅寸法Ｗ53以下に縮める。そして、この状態のまま、上記係止側ブラケット６１と上記突き合わせ框９ｂとを引き離す。本実施例の場合には、上記第一壁部５２の外側面と、この第一壁部５２の外側面の幅方向両端部から突出する状態で形成された第二、第三両壁部７１、７２の互いに対向する側面とにより三方を囲まれた上下方向に長い空間７３内に取り外し用ブラケット７４を、昇降可能に保持している。この取り外し用ブラケット７４の下端部には、この取り外し用ブラケット７４の下降に伴って上記両摘み部６７、６７と係合し、これら両摘み部６７、６７同士の間隔を縮める傾斜面部を設けている。従って、上記両摘み部６７、６７同士の間隔を縮める作業は、特に工具を必要とせずに、容易に行なえる。尚、この作業を工具により行なう代わりに、上記取り外し用ブラケット７４を省略する事もできる。又、請求項６に係る発明の様に、上記受側ブラケット７５を省略し、上記第一壁部５２に上記係止側ブラケット６１を係止する為の係止切り欠き部を形成する事もできる。
各框の下端部と各カバー帯の一端部との結合部以外の構成及び作用は、前述した実施例１と同様であるから、同等部分に関する図示並びに説明は省略する。
【実施例３】
【００５７】
図３２〜３５は、請求項１、４、５、７、９、１０に対応する、本発明の実施例３を示している。本実施例の場合には、係止側ブラケット６１ａの係止部６３ａの平面形状を、山形（おむすび形）としている。又、取り外し用ブラケット７４の上下方向中間部に、先端面が半球状である係止突片７７を設けている。この係止突片７７は、上記取り外し用ブラケット７４の基部７８の下面から下方に突出した弾性腕部７９の先端部片面に突設させている。又、突き合わせ框９ｂを構成する第一壁部５２の一部で、上記取り外し用ブラケット７４を上昇させた場合に上記係止突片７７と整合する位置に、係止孔８０を形成している。この係止突片７７をこの係止孔８０に係合させた状態では、上記取り外し用ブラケット７４に設けた傾斜面部８１、８１が、上記係止側ブラケット６１ａを構成する１対の摘み部６７ａ、６７ａの上方に位置して、これら両摘み部６７ａ、６７ａと係合しない。その他の部分の構成及び作用は、上述した実施例２と同様である。
【実施例４】
【００５８】
図３６〜３７は、請求項１、４、５、８、９、１０に対応する、本発明の実施例４を示している。本実施例の場合には、召し合わせ框８ａ、８ｂの下端部外側面に受側ブラケット７５ａ、７５ｂを固定し、これら各受側ブラケット７５ａ、７５ｂに、係止側ブラケット６１ａの係止部６３ａを係止する為の係止切り欠き部５３ｃ、５３ｃを設けている。その他の部分の構成及び作用は、上述した実施例３と同様である。
【産業上の利用可能性】
【００５９】
図示の実施例は、本発明を引違戸に適用した場合に就いて説明した。これに対して本発明は、図示の様な引違戸に限らず、障子を水平方向に移動して開口部の開閉を行なう引戸装置であれば実施できる。例えば、引戸障子を１枚のみ設けた引戸でも、本発明を実施する事はできる。
【図面の簡単な説明】
【００６０】
【図１】本発明の実施例１を示す、引戸障子を屋内側から見た略正面図。
【図２】一部を省略して示す、図１の拡大Ａ−Ａ断面図。
【図３】図２の左端部拡大図。
【図４】同右端部拡大図。
【図５】同中央部拡大図。
【図６】図１の拡大Ｂ−Ｂ断面図。
【図７】図６の下端部拡大図。
【図８】図４のＣ矢視図。
【図９】カバー帯と係止側ブラケットとを取り出して図８と同方向から見た図。
【図１０】カバー帯と係止側ブラケットとを取り出して結合する以前の状態を示す、図９と同様の図。
【図１１】突き合わせ框の下端部に形成した切り欠きを、図８の右方から見た状態で示す図。
【図１２】係止ブラケットを突き合わせ框の下端部に結合する状態を示す、図８と同様の図。
【図１３】図５のＤ矢視図。
【図１４】カバー帯と係止側ブラケットとを取り出して図１３と同方向から見た図。
【図１５】カバー帯と係止側ブラケットとを取り出して結合する以前の状態を示す、図１４と同様の図。
【図１６】係止ブラケットを召し合わせ框の下端部に結合する状態を示す、図１３と同様の図。
【図１７】窓枠の下隅角部内面の略斜視図。
【図１８】本発明の実施例２を示す、図４と同様の図。
【図１９】図１８のＥ矢視図。
【図２０】カバー帯の一端部に係止側ブラケットを結合した状態を、図１９と同方向から見た状態で示す側面図。
【図２１】係止側ブラケットを取り出して図２０と同方向から見た状態で示す側面図。
【図２２】同じく平面図。
【図２３】図２１の左方から見た図。
【図２４】カバー帯の一端部と係止側ブラケットとを結合する為の結合金具を図１９〜２０と同方向から見た状態で示す側面図。
【図２５】同平面図。
【図２６】図２４の側方から見た図。
【図２７】カバー帯の一端部上面に結合金具を固定した状態を、図１９〜２０と同方向から見た状態で示す側面図。
【図２８】同じく平面図。
【図２９】カバー帯の一端部と係止側ブラケットとを結合する途中の状態を示す、図２０と同様の図。
【図３０】突き合わせ框の下端部に形成した切り欠きを、図１９の右方から見た状態で示す図。
【図３１】突き合わせ框の下端部とカバー帯の一端部とを結合する作業の途中状態を示す平面図。
【図３２】本発明の実施例３を示す、図４と同様の図。
【図３３】図３２の下方から見た側面図。
【図３４】取り外し用ブラケットを図３３と同方向から見た図。
【図３５】同じく図３４の左方から見た図。
【図３６】本発明の実施例４を示す、図２の中央部に相当する平面図。
【図３７】図３６のＦ矢視図。
【符号の説明】
【００６１】
１    窓枠
２ａ、２ｂ  ガラス障子
３    上枠
４    下枠
５ａ、５ｂ  竪枠
６ａ、６ｂ  上框
７ａ、７ｂ  下框
８ａ、８ｂ  召し合わせ框
９ａ、９ｂ  突き合わせ框
１０ａ、１０ｂ  ガラスパネル
１１ａ、１１ｂ  上部案内レール
１２ａ、１２ｂ  ガイドブロック
１３ａ、１３ｂ  ガイド溝
１４ａ、１４ｂ  下部案内レール
１５ａ、１５ｂ  凹部
１６ａ、１６ｂ  戸車
１７ａ、１７ｂ  凹溝
１８    屋外端突条
１９    中央突条
２０ａ、２０ｂ  ブラケット
２１    屋内端突条
２２ａ、２２ｂ  屋内側壁
２３ａ、２３ｂ  垂下壁部
２４ａ、２４ｂ、２４ｃ、２４ｄ  カバー帯
２５ａ、２５ｂ  ガイド溝
２６ａ、２６ｂ  ガイド部材
２７  シールリップ
２８、２８ａ  係止側ブラケット
２９、２９ａ  下側素子
３０、３０ａ  上側素子
３１    圧縮コイルばね
３２    基部
３３    ガイドロッド
３４ａ、３４ｂ  抑え板部
３５    凸部
３６    係止受部
３７    係止スリット
３８    係止凸部
３９    凹部
４０    ガイド筒部
４１、４１ａ  摘み部
４２    連結部
４３、４３ａ  係止部
４４    鍔部
４５    中心孔
４６    係止金具
４７    基板部
４８    係止板部
４９    リベット
５０    係止孔
５１    凹部
５２    第一壁部
５３、５３ａ、５３ｂ、５３ｃ  係止切り欠き部
５４    受側ブラケット
５５    凹部
５６ａ、５６ｂ  ガイドブラケット
５７ａ、５７ｂ、５７ｃ、５７ｄ  収納部
５８ａ、５８ｂ  竪枠本体
５９ａ、５９ｂ  内側ブラケット
６０    ライナ部材
６１、６１ａ  係止側ブラケット
６２    取付基部
６３    係止部
６４    取付板部
６５    脚部
６６    折れ曲がり鉤部
６７、６７ａ  摘み部
６８    結合金具
６９    リベット
７０    抑え部
７１    第二壁部
７２    第三壁部
７３    空間
７４    取り外し用ブラケット
７５、７５ａ、７５ｂ  受側ブラケット
７６    切り欠き
７７    係止突片
７８    基部
７９    弾性腕部
８０    係止孔
８１    傾斜面部
【図１】
2005232793.tif 000003
【図２】
2005232793.tif 000004
【図３】
2005232793.tif 000005
【図４】
2005232793.tif 000006
【図５】
2005232793.tif 000007
【図６】
2005232793.tif 000008
【図７】
2005232793.tif 000009
【図８】
2005232793.tif 000010
【図９】
2005232793.tif 000011
【図１０】
2005232793.tif 000012
【図１１】
2005232793.tif 000013
【図１２】
2005232793.tif 000014
【図１３】
2005232793.tif 000015
【図１４】
2005232793.tif 000016
【図１５】
2005232793.tif 000017
【図１６】
2005232793.tif 000018
【図１７】
2005232793.tif 000019
【図１８】
2005232793.tif 000020
【図１９】
2005232793.tif 000021
【図２０】
2005232793.tif 000022
【図２１】
2005232793.tif 000023
【図２２】
2005232793.tif 000024
【図２３】
2005232793.tif 000025
【図２４】
2005232793.tif 000026
【図２５】
2005232793.tif 000027
【図２６】
2005232793.tif 000028
【図２７】
2005232793.tif 000029
【図２８】
2005232793.tif 000030
【図２９】
2005232793.tif 000031
【図３０】
2005232793.tif 000032
【図３１】
2005232793.tif 000033
【図３２】
2005232793.tif 000034
【図３３】
2005232793.tif 000035
【図３４】
2005232793.tif 000036
【図３５】
2005232793.tif 000037
【図３６】
2005232793.tif 000038
【図３７】
2005232793.tif 000039